(57)【要約】【課題】  梁と折板との間に断熱材を敷設するためのスペースを容易に得ることができるタイトフレームを提供することである。【解決手段】  断面略台形状の折板支持フレーム１２が複数連結され、隣り合う折板支持フレーム１２の下端が梁固定フレーム１３によって連結されてなるタイトフレーム１１において、前記梁固定フレーム１３に折板と梁２１との間に敷設される断熱材を支持するための断熱材支持部材が配置可能な凹部２０を設けた。【選択図】      図１
2014145183.tif 000002
【特許請求の範囲】
【請求項１】
断面略台形状の折板支持フレームが複数連結され、隣り合う折板支持フレームの下端が梁固定フレームによって連結されてなるタイトフレームにおいて、
前記梁固定フレームに折板と梁との間に敷設される断熱材を支持するための断熱材支持部材が配置可能な凹部を設けたことを特徴とするタイトフレーム。
【請求項２】
前記梁固定フレームに設けた凹部は、折板と梁との間に敷設される断熱材の厚みに略対応する深さを有する請求項１に記載のタイトフレーム。
【請求項３】
前記梁固定フレームは折板支持フレームと一体に形成され、折板支持フレームの下端から垂直に折れ曲がる一対の縦壁と、縦壁の下端から水平に折れ曲がる底壁とで凹部を形成している請求項１又は２に記載のタイトフレーム。
【請求項４】
梁の上面に配置された前記請求項１乃至３のいずれかに記載のタイトフレームに折板が取り付けられる屋根構造において、
前記梁固定フレームに設けた凹部内に断熱材を支持するための断熱材支持部材が配置されると共に、折板支持フレームに折板を取り付けたときに該折板の下部が前記凹部の上部に配置されることを特徴とする屋根構造。
【請求項５】
前記梁固定フレームの凹部に配置された断熱材支持部材を隣接する梁の上面に配置された他のタイトフレームとの間に掛け渡し、この掛け渡した断熱材支持部材の上に断熱材を載置する請求項４に記載の屋根構造。
【請求項６】
前記他のタイトフレームとの間に掛け渡した断熱材支持部材とタイトフレームに取り付けられた折板との間には、タイトフレームに設けた凹部の深さに対応する高さの空隙が設けられ、この空隙に断熱材が敷設される請求項４又は５に記載の屋根構造。
【請求項７】
前記断熱材支持部材は、断熱材を載置する水平壁と隣接する断熱材を仕切る隔壁とを備える断面逆Ｔ字形状の硬質材からなり、他のタイトフレームとの間で棒状に掛け渡される請求項４乃至６のいずれかに記載の屋根構造。
【請求項８】
前記断熱材支持部材は、線状材を格子状に組んで他のタイトフレームとの間に掛け渡されるネットからなる請求項４乃至６のいずれかに記載の屋根構造。
【発明の詳細な説明】
【技術分野】
【０００１】
本発明は、屋根にルーフデッキや折板などを葺く際に、取付用下地材として梁（母屋を含む）に固定されるタイトフレームに関し、また、このタイトフレームを用いた屋根構造に関するものである。
【背景技術】
【０００２】
一般に、屋根に折板を葺く屋根構造では梁に山形状のタイトフレームを固定し、このタイトフレームに折板を取り付けている。タイトフレームは、山部と谷部とが連続する金属板からなり、谷部を梁に溶接やボルトなどによって固定し、山部に被せられた折板を山部の頂部でボルト固定する（特許文献１）。
【０００３】
このように、タイトフレームに折板を取り付ける屋根構造は、屋根自体の構造が簡単であり工期も短くて済むのでコストを抑えた施工が可能となる反面、折板からの熱がタイトフレームを通じて梁に伝わってしまうといった問題がある。このような問題を解決する手段としては、例えば梁全体を断熱材で包んだり、折板を二重構造にしてその間に断熱材を挟んだりするなどの手段が考えられるが、これには非常に厄介な作業と費用が掛ってしまうといった問題がある。
【０００４】
このような問題を解決する手段として、タイトフレームが固定される梁と折板との間の空隙に断熱材を敷設する屋根構造が知られている（特許文献２，３を参照）。特許文献２に開示された屋根構造では、間隔を隔てて並置された下地材の間に支持材を架設し、この支持材に金網を敷設して金網の上に断熱材を敷設すると共に、断熱材の上面を覆うようにして下地材に固定したタイトフレームに折板を取り付けている。また、特許文献３に開示された屋根構造では、前記金網の代わりにデッキ板を配置し、このデッキ板と折板に挟まれた空隙に断熱材を充填している。
【先行技術文献】
【特許文献】
【０００５】
【特許文献１】実開平６−６７６４９号公報
【特許文献２】特開２０００−２０４７２１号公報
【特許文献３】実用新案登録第３１７２８４９号公報
【発明の概要】
【発明が解決しようとする課題】
【０００６】
しかしながら、上記特許文献２に開示された屋根構造にあっては、タイトフレームに折板を取り付けたときに、折板が断熱材に干渉しないようにするために、タイトフレームの高さを断熱材の厚み分だけ高くしなければならず、それに応じてタイトフレームの形状や折板の形状などを変更しなければならないといった問題があった。
【０００７】
また、特許文献３に開示された屋根構造にあっては、タイトフレームが折板の形状に沿って支持するような山形形状ではなく一枚の薄板状に形成されているので、タイトフレームの高さを断熱材の厚み分だけ高くしたとしても折板の形状を変える必要はないが、タイトフレームの高さ寸法を延ばした場合、山形形状のタイトフレームに比べて折板の支持強度が低下するといった問題があった。
【０００８】
そこで、本発明の目的は、梁と折板との間に断熱材を敷設するためのスペースを容易に得ることができるタイトフレームを提供し、また、このタイトフレームを用いて断熱材を簡易に敷設することのできる屋根構造を提供することである。
【課題を解決するための手段】
【０００９】
上記課題を解決するために、本発明のタイトフレームは、断面略台形状の折板支持フレームが複数連結され、隣り合う折板支持フレームの下端が梁固定フレームによって連結されてなるタイトフレームにおいて、前記梁固定フレームに折板と梁との間に敷設される断熱材を支持するための断熱材支持部材が配置可能な凹部を設けたことを特徴とする。
【００１０】
本発明の屋根構造は、上記梁固定フレームに設けた凹部内に断熱材を支持するための断熱材支持部材が配置されると共に、折板支持フレームに折板を取り付けたときに該折板の下部が前記凹部の上部に配置されることを特徴とする。
【発明の効果】
【００１１】
本発明のタイトフレームによれば、折板支持フレームと梁固定フレームとによって構成され、前記梁固定フレームに断熱材支持部材が配置可能な凹部を設けているので、梁と折板との間に断熱材を配置させるためのスペースを有効に確保でき、断熱材の敷設も容易となる。
【００１２】
本発明の屋根構造によれば、折板の下部が梁固定フレームの凹部上に載置されるため、この凹部に設けた断熱材支持部材を介して配置される断熱材に接触させることなく前記折板を折板支持フレームに取り付けることができる。
【図面の簡単な説明】
【００１３】
【図１】本発明に係るタイトフレームの斜視図である。
【図２】梁に固定された上記タイトフレームに対する断熱材及び折板の取付順序を示す断面図である。
【図３】上記タイトフレームを用いて構成された屋根構造の要部斜視図である。
【図４】上記屋根構造の断面図である。
【図５】上記屋根構造に用いられる第１の断熱材支持部材を示す斜視図である。
【図６】上記第１の断熱材支持部材の上に断熱材を敷設した状態を示す斜視図である。
【図７】上記屋根構造において、タイトフレームに折板を取り付ける状態を示す斜視図である。
【図８】第２の断熱材支持部材を用いて構成される屋根構造の斜視図である。
【図９】上記第２の断熱材支持部材の施工例を示す斜視図である。
【図１０】上記第２の断熱材支持部材を用いた屋根構造の断面図である。
【発明を実施するための形態】
【００１４】
図１及び図２は本発明に係るタイトフレームの一実施形態を示したものである。ここで、図１はタイトフレーム１１を梁２１上に配置したときの斜視図であり、図２は前記タイトフレーム１１と、断熱材３２及び折板２２とからなる屋根構造の分解断面図である。
【００１５】
本タイトフレーム１１は、一枚の帯状の金属板を折り曲げ加工することによって形成されており、屋根を構成する金属製の折板２２を支える複数の折板支持フレーム１２と、左右の折板支持フレーム１２の下端を連結して梁（母屋を含む）２１に固定される複数の梁固定フレーム１３とからなっている。ここでは、一例として、断面略台形状の３つの折板支持フレーム１２と各折板支持フレーム１２の間を繋ぐ２つの梁固定フレーム１３とが一体に形成された基本構成を示す。この基本構成からなるタイトフレーム１１を梁２１の上面に複数配置することで、屋根材としての折板２２を支持ことができる。なお、構成単位となる折板支持フレーム１２及び梁固定フレーム１３の個数は任意であり、少なくとも２つの折板支持フレーム１２とその間を繋ぐ１つの梁固定フレーム１３があればよい。
【００１６】
前記折板支持フレーム１２は、水平板状の頂部１４と、この頂部１４の両端から下方に八の字状に傾斜する一対の傾斜部１５とによって略台形状に形成されている。前記頂部１４には、折板２２の頂部２２ａをボルト２４で固定するためのボルト孔１８が設けられる。前記一対の傾斜部１５は、折板２２の各傾斜面２２ｂ，２２ｃの長さ及び傾斜角度に対応しており、折板２２の取付時には傾斜部１５に沿うように傾斜面２２ｂ，２２ｃが被せられる。また、各傾斜部１５にはその長手方向に沿ってリブ１５ａが設けられており、折板支持フレーム１２の変形等を防止して支持強度を高めている。この実施形態では傾斜部１５の全長に亘ってリブ１５ａが設けられているが、傾斜部１５の一部にリブを設けた場合であってもよい。なお、この折板支持フレーム１２の傾斜部１５の長さや傾斜角度は、屋根材として葺く折板２２の種類などに対応して変更が可能である。
【００１７】
左右の隣り合う折板支持フレーム１２の下端を繋ぐ梁固定フレーム１３は、折板支持フレーム１２を梁２１の上面２１ａから所定の高さ位置に確保する働きを有している。この梁固定フレーム１３は折板支持フレーム１２と一体に形成され、折板支持フレーム１２の下端から垂直に折れ曲がる一対の縦壁１７と、この一対の縦壁１７の下端から水平に折れ曲がり、梁２１の上面２１ａに固定される底壁１６とで所定の深さ寸法ｈを有する凹部２０を形成している。前記底壁１６には梁２１に固定するためのボルト孔１９が設けられている。なお、この実施形態のように、梁２１が鋼材で構成されている場合は底壁１６を溶接によって固定することができる。前記一対の縦壁１７は、隣接する各折板支持フレーム１２の傾斜部１５の下端部に繋がるように一体に延びており、折板支持フレーム１２の下端を支持している。なお、タイトフレーム１１の両端には前記凹部２０を半分に割った形状の連結片２３が設けられ、隣接するタイトフレームの連結片と一体になって上記と同様の凹部を形成する。
【００１８】
図２に示したように、前記タイトフレーム１１を梁２１の上面２１ａに固定したとき、梁２１と折板支持フレーム１２との間に凹部２０の深さ寸法ｈ分の空隙２５を確保することができ、この空隙２５に合わせて断熱材３２を敷設することができる。すなわち、折板２２はタイトフレーム１１の折板支持フレーム１２に、梁２１の上面２１ａから凹部２０の深さ寸法ｈに対応した高さ位置で取り付けられることになるので、折板２２が断熱材３２に干渉することがない。また、凹部２０の幅寸法ｗや深さ寸法ｈを調整することによって、折板支持フレーム１２の形状やサイズ等を一定に保持した状態で、折板支持フレーム１２の高さ位置や配置間隔を設定することができる。このため、折板２２を直接支持する部分には影響なく、折板２２と梁２１との間に断熱材や防音材等を配置させるための空隙２５を任意に設定することができる。なお、凹部２０の深さ寸法ｈは、一例ではこの種の断熱材の一般的な厚さに対応できるように、５０ｍｍ以上確保されるのが望ましい。
【００１９】
さらに、前記梁固定フレーム１３の凹部２０には棒状の硬質材やワイヤなどの断熱材支持部材を配置することができ、この断熱材支持部材の上に断熱材や防音材等を容易に敷設することができる。
【００２０】
図３乃至図７は、上記構成からなるタイトフレーム１１を用いた屋根構造３０を示したものである。この屋根構造３０は、建物の躯体（図示せず）の上部に平行に組まれた複数の梁２１の上面２１ａに固定されるタイトフレーム１１と、各タイトフレーム１１の梁固定フレーム１３の凹部２０に配置された線状材３４,３５を格子状に組んで隣接する梁２１と梁２１との間に形成される第１の断熱材支持部材３１と、この断熱材支持部材３１上に敷設される断熱材３２と、前記凹部２０の上部に配置される折板３３とを備えている。
【００２１】
前記断熱材支持部材３１は、図５に示されるように、隣接する梁２１同士の間に張り渡した鉄筋やワイヤなどの線状材を格子状に組んでネット状に形成したものである。具体的には各梁２１の上面２１ａに固定されたタイトフレーム１１の各梁固定フレーム１３の凹部２０に配置され、隣接する梁２１との間に張り渡された第１の線状材３４と、この第１の線状材３４と直交する方向に張り渡された第２の線状材３５とを格子状に組むことによって、隣接する梁との間に断熱材支持部材３１としてのネットが形成される。
【００２２】
前記断熱材支持部材３１上には、例えば図６に示されるようにブロック状に形成された複数の断熱材３２が隙間なく敷き詰められる。この断熱材３２は、例えば袋状のアルミシートの内部にグラスウールを詰め込んで所定の厚みに形成したものであり、厚みは、前記梁固定フレーム１３の凹部２０の深さ寸法ｈに略対応しており、一例では５０ｍｍである。
【００２３】
この実施形態の屋根構造３０では、図３及び図４に示したように、断熱材３１がタイトフレーム１１の梁固定フレーム１３に設けられた凹部２０の深さ寸法ｈに略対応する厚みとなるように敷設される。これによって、折板３３を折板支持フレーム１２に固定する際に、折板３３の谷部（下部）３７が断熱材３２の厚みに対応した凹部２０の上部に配置されることになる。また、図６に示したように、各梁固定フレーム１３との間に掛け渡した断熱材支持部材３１と折板支持フレーム１２に取り付けられた折板２２との間には、凹部２０の深さに対応する高さの空隙２５が設けられている。このため、この空隙２５に断熱片３２を敷設することができる。
【００２４】
折板３３は、折板支持フレーム１２の頂部１４からそれぞれの傾斜部１５に沿うように載置され、折板支持フレーム１２の頂部１４に設けられているボルト孔１８にから突出するボルト２４によって固定される。
【００２５】
次に、図５乃至図７に基づいて、本発明のタイトフレーム１１を用いた屋根の施工方法について説明する。使用するタイトフレーム１１は、設置される折板３３の上部３６や下部３７の長さや傾斜角度に合わせて折板支持フレーム１２が設定され、葺かれる屋根材のサイズに応じて基本構成となる折板支持フレーム１２の数が決定される。また、梁固定フレーム１３は、凹部２０内に配置される鉄筋やワイヤなどからなる第１の線状材３４の太さや断熱材３２の厚み等によって、凹部２０を形成する底壁１６の幅及び縦壁１７の高さが設定される。
【００２６】
図５に示したように、前記仕様によって形成されたタイトフレーム１１を建物の躯体（図示せず）上に組まれた梁２１の長手方向に沿って複数配置する。このタイトフレーム１１は、梁固定フレーム１３の底壁１６を梁２１上に直接溶接し、あるいは、底壁に設けられているボルト孔１９を介してボルト等によって固定される。
【００２７】
次に、各梁２１に固定されたタイトフレーム１１の間に第１の線状材３４を張り渡す。この第１の線状材３４は、梁固定フレーム１３の凹部２０に上方から嵌め入れ、一対の縦壁１７で挟まれるように底壁１６に載置される。そして、前記対向するタイトフレーム１１の間に張り渡された複数の第１の線状材３４と直交する方向に張り渡された複数の第２の線状材３５とで格子状の断熱材支持部材（ネット）３１を形成する。これによって、図２に示したように、梁２１と折板３３との間に断熱材３２を配置するための空隙２５が形成される。
【００２８】
次いで、図６に示したように、前記断熱材支持部材３１の上にブロック状の断熱材３２を敷設する。また、梁固定フレーム１３が載置される梁２１の上面２１ａにも断熱材３２の端部を載置して、梁２１の上面２１ａを断熱材３２で覆うと共に、前記梁固定フレーム１３の凹部２０内にも断熱片３２ａを詰め込むことで、断熱効果をより一層高めることができる。
【００２９】
断熱材支持部材３１の上に断熱材３２を敷設したのち、図７に示したように、タイトフレーム１１を覆うように折板３３を載置し、折板支持フレーム１２の頂部１４に折板３３をボルト固定する。これによって、図２に示したように、梁２１と折板３３との間の空隙２５に断熱材３２を敷設した折板屋根が完成する。
【００３０】
図８は、隣接する梁２１の上面に配置された各タイトフレーム１１間に第２の断熱材支持部材４１が棒状に掛け渡され、この第２の断熱材支持部材４を利用して断熱材４２を敷設するようにした屋根構造４０を示したものである。この実施形態に係る断熱材支持部材４１は、図９に示すように、隣接するタイトフレーム１１間に延びる水平壁４４と、この水平壁４４の幅方向を二分するように延びる隔壁４５とによって断面逆Ｔ字形状に形成されたものである。前記水平壁４４の幅は、梁固定フレーム１３の底壁１６の幅と略同じであり、長さは対向する梁２１の距離に合わせて設定される。また、図１０に示すように、前記隔壁４５は、水平壁４４に載置された左右の断熱材４２を仕切るように水平壁４４から立設されており、隔壁４５の高さは、折板支持フレーム１２上に折板４３を載置した際に、この折板４３の下部４３ａに接触しないような高さに設定される。この断熱材支持部材４１は、鋼材や鉄骨などの硬質材によって形成され、図９に示したように、対向する梁固定フレーム１３間に真っ直ぐに掛け渡される。また、対向する梁固定フレーム１３の凹部２０内に配置され、凹部２０の底壁１６に水平壁４４がネジ留め（図示せず）等によって固定される。
【００３１】
梁２１の上面に配置された各タイトフレーム１１の凹部２０に前記断熱材支持部材４１を配置することによって、一対の梁２１の間に断熱材４２を配置するためのスペース２６が形成される。すなわち、図８乃至図１０に示したように、各断熱材支持部材４１は隣接する梁２１同士の間に平行に配設されるので、左右一対の断熱材支持部材４１間には断熱材４２を配置するための一定幅のスペース２６が形成され、このスペース２６に断熱材４２が配置される。断熱材４２は左右一対の断熱材支持部材４１の各水平壁４４の上に載置され、隣りに配置された断熱材４２とは断熱材支持部材４１の隔壁４５によって仕切られる。このようにして配設された全ての断熱材支持部材４１の上に複数の断熱材４２を隙間を作ることなく配置する。次いで、タイトフレーム１１を覆うように折板４３を載置し、折板支持フレーム１２の頂部１４に折板４３をボルト固定することによって、梁２１と折板４３との間の空隙２５に断熱材４２を敷設した折板屋根が完成する（図１０）。
【００３２】
前記断熱材支持部材４１は、梁固定フレーム１３の凹部２０に落とし込むだけで、対向するタイトフレーム１１間に配置されるので、断熱材４２を敷設するためのスペース２６を容易に設けることができる。また、水平壁４４によって断熱材４２を支持し、隔壁４５によって隣り合う断熱材４２を仕切ることができるので、断熱材４２の敷設作業がきわめて容易となる。また、断熱材支持部材４１が硬質材で形成されているため、対向する一対の梁２１間に複数の断熱材４２を安定した状態で掛け渡すことができる。
【００３３】
また、図１０に示したように、断熱材支持部材４１の一端が支持されている凹部２０に断熱片４２ａを詰め込むことで、前記断熱材４２との間に隙間を生じさせることなく、屋根全体の断熱効果をより一層高めることができる。
【００３４】
以上説明したように、本発明のタイトフレームは、折板を支える折板支持フレームと、この折板支持フレームを梁上から所定の高さを有して保持する梁固定フレームとを備えているので、前記梁固定フレームの凹部の深さに対応した厚みの断熱材を敷設することが可能となった。
【００３５】
上記タイトフレームを用いた屋根構造にあっては、鉄筋やワイヤ等の線状材を格子状に組み合わせた断熱材支持部材や対向する各梁間に掛け渡される断面逆Ｔ字形状の断熱材支持部材を利用することで、梁と折板との間の空隙に断熱材を容易に敷設することができ、高い断熱性や防音性を有する屋根構造をローコスト且つ短納期で施工することができる。
【００３６】
なお、上記断熱材支持部材の上に断熱材に代えて、又は断熱材と共に防音材を敷設することも可能である。また、梁と梁の間に張り渡した線状材や断面逆Ｔ字形状の硬質材を利用して、これに照明器具を吊るしたり、吊り天井の設けたりすることも可能である。
【符号の説明】
【００３７】
１１  タイトフレーム
１２  折板支持フレーム
１３  梁固定フレーム
１４  頂部
１５  傾斜部
１５ａ  リブ
１６  底壁
１７  縦壁
１８  ボルト孔
１９  ボルト孔
２０  凹部
２１  梁
２２  折板
２２ａ  頂部
２２ｂ，２２ｃ  傾斜面
２３  連結片
２４  ボルト
２５  空隙
２６  スペース
３０  屋根構造
３１  断熱材支持部材
３２  断熱材
３２ａ  断熱片
３３  折板
３４  第１の線状材
３５  第２の線状材
３６  上部
３７  下部
４０  屋根構造
４１  断熱材支持部材
４２  断熱材
４２ａ  断熱片
４３  折板
４３ａ  下部
４４  水平壁
４５  隔壁
【図１】
2014145183.tif 000003
【図２】
2014145183.tif 000004
【図３】
2014145183.tif 000005
【図４】
2014145183.tif 000006
【図５】
2014145183.tif 000007
【図６】
2014145183.tif 000008
【図７】
2014145183.tif 000009
【図８】
2014145183.tif 000010
【図９】
2014145183.tif 000011
【図１０】
2014145183.tif 000012